(57)【要約】【課題】扉面の化粧部材を無くすとともに、省電力化を図る。【解決手段】電気錠システム１は、照合装置２、電気錠装置３を具備する。照合装置２は、電気錠３ｃが設けられる扉近傍の壁面に設けられ、外部電源を駆動電源とする。電気錠装置３は、電気錠３ｃを有して制御対象となる扉毎に設けられ、内蔵される電池３ａを駆動電源とする。照合装置２は、施解錠に関する情報と登録情報とを照合してその正当性を判別し、正常に認証したときのみ施解錠制御信号を電気錠装置３に無線出力し、また電気錠装置３から無線出力される電気錠３ｃ及び扉の状態信号やログ情報等の信号を受信する。電気錠装置３は、照合装置２から無線出力される施解錠制御信号によって電気錠３ｃを施解錠し、また電気錠３ｃ及び扉の状態信号やログ情報等の信号を照合装置２に無線出力する。【選択図】図１
2007154605.tif 000002
【特許請求の範囲】
【請求項１】
電気錠が設けられる扉近傍の壁面に設けられ、外部電源を駆動電源とする照合装置と、
前記電気錠を有して制御対象となる扉毎に設けられ、内蔵される電池を駆動電源とする電気錠装置とを備え、
前記照合装置は、施解錠に関する情報と登録情報とを照合してその正当性を判別し、正常に認証したときのみ施解錠制御信号を前記電気錠装置に無線出力し、また前記電気錠装置から無線出力される前記電気錠及び前記扉の状態信号やログ情報等の信号を受信しており、
前記電気錠装置は、前記照合装置から無線出力される施解錠制御信号によって前記電気錠を施解錠し、また前記電気錠及び前記扉の状態信号やログ情報等の信号を前記照合装置に無線出力することを特徴とする電気錠システム。
【請求項２】
電気錠が設けられる扉近傍の壁面に設けられ、外部電源を駆動電源とする照合装置と、
前記電気錠を有し、制御対象となる扉毎に設けられる電気錠装置と、
前記照合装置と前記電気錠装置との間を非接触で通電する非接触通電装置とを備え、
前記照合装置は、前記電気錠装置に前記非接触通電装置を介して駆動電源を供給するとともに、施解錠に関する情報と登録情報とを照合してその正当性を判別し、正常に認証したときのみ施解錠制御信号を前記電気錠装置に前記非接触通電装置を介して伝送しており、
前記電気錠装置は、前記照合装置から前記非接触通電装置を介して駆動電源が供給され、前記照合装置から前記非接触通電装置を介して伝送される施解錠制御信号によって前記電気錠を施解錠することを特徴とする電気錠システム。
【発明の詳細な説明】
【技術分野】
【０００１】
本発明は、例えばホテル客室、住宅玄関扉、各種施設の出入り口等に採用され、入出を許可する者に対して予め発行されたカードのカード情報やテンキー等からの入力情報（例えば暗証番号等）を照合して正当性を判別し、正常に認証したときのみ錠前を電気的に施解錠制御する電気錠システムに関するものである。
【背景技術】
【０００２】
例えばホテル客室、住宅玄関扉、各種施設の出入り口等には、入出を許可する者に対して予め発行されたカードのカード情報やテンキー等の入力情報（例えば暗証番号等）を照合して正当性を判別し、正常に認証したときのみ錠前を電気的に施解錠制御する電気錠システムが従来より採用されている。
【０００３】
例えばホテルの各客室の扉に採用される電気錠システムとしては、例えばカードリーダやテンキー等の照合装置と電気錠とを一体化して電池駆動するものが一般的に知られている。
【特許文献１】特開２００５−２３７３４号公報
【発明の開示】
【発明が解決しようとする課題】
【０００４】
ところで、上述した照合装置と電気錠とが一体化された電池駆動方式の電気錠システムでは、照合装置が扉面の化粧部材である装飾プレート（エスカチオン）に配設されており、装飾プレートを必要不可欠とし、部品の収納スペースも少なく、デザイン的にも制約があった。しかも、電気錠だけでなく照合装置も電池で駆動されるため、消費電力が大きく電池寿命が短くなり、定期的な電池交換が必要であった。
【０００５】
そこで、本発明は上記問題点に鑑みてなされたものであり、扉面の化粧部材を無くすとともに、省電力化を図ることができる電気錠システムを提供することを目的とするものである。
【課題を解決するための手段】
【０００６】
上記した目的を達成するために、請求項１記載の電気錠システムは、電気錠が設けられる扉近傍の壁面に設けられ、外部電源を駆動電源とする照合装置と、
前記電気錠を有して制御対象となる扉毎に設けられ、内蔵される電池を駆動電源とする電気錠装置とを備え、
前記照合装置は、施解錠に関する情報と登録情報とを照合してその正当性を判別し、正常に認証したときのみ施解錠制御信号を前記電気錠装置に無線出力し、また前記電気錠装置から無線出力される前記電気錠及び前記扉の状態信号やログ情報等の信号を受信しており、
前記電気錠装置は、前記照合装置から無線出力される施解錠制御信号によって前記電気錠を施解錠し、また前記電気錠及び前記扉の状態信号やログ情報等の信号を前記照合装置に無線出力することを特徴とする。
【０００７】
請求項２記載の電気錠システムは、電気錠が設けられる扉近傍の壁面に設けられ、外部電源を駆動電源とする照合装置と、
前記電気錠を有し、制御対象となる扉毎に設けられる電気錠装置と、
前記照合装置と前記電気錠装置との間を非接触で通電する非接触通電装置とを備え、
前記照合装置は、前記電気錠装置に前記非接触通電装置を介して駆動電源を供給するとともに、施解錠に関する情報と登録情報とを照合してその正当性を判別し、正常に認証したときのみ施解錠制御信号を前記電気錠装置に前記非接触通電装置を介して伝送しており、
前記電気錠装置は、前記照合装置から前記非接触通電装置を介して駆動電源が供給され、前記照合装置から前記非接触通電装置を介して伝送される施解錠制御信号によって前記電気錠を施解錠することを特徴とする。
【発明の効果】
【０００８】
本発明の電気錠システムによれば、錠前の扉面に化粧部材として取り付けられるエスカチオン（装飾プレート）を無くすことができる。これにより、扉自体のデザインの自由度が広がる。また、消費電力の大きい照合装置の駆動電源を外部電源にするので、電気錠の電池による寿命を延ばすことができる。さらには、電池の必要本数を減らしてランニングコストを低減することができる。また、照合装置に無線モジュールを内蔵するので、例えば外部の制御端末（パソコン）とリアルタイムで通信を行うことにより、例えば火災時の火報連動やログの収集を行うことも可能である。
【０００９】
そして、請求項１の電気錠システムのように、照合装置と電気錠との間を無線化にすれば、扉の加工費用を抑えることができる。これに対し、請求項２の電気錠システムのように、照合装置と電気錠との間に非接触通電装置を使用すれば、扉内の配線加工を簡略化することができる。
【発明を実施するための最良の形態】
【００１０】
以下、本発明の最良の形態について、添付した図面を参照しながらそれぞれ説明する。図１は本発明に係る電気錠システムの第１実施形態を示すブロック構成図、図２は本発明に係る電気錠システムの第２実施形態を示すブロック構成図である。
【００１１】
本例の電気錠システムは、例えばホテル客室、住宅玄関扉、各種施設の出入り口等に採用され、消費電力の大きい照合装置を壁面に取り付けて外部電源によって駆動し、電気錠装置を電池駆動として、照合装置から無線を通じて電気錠装置の電気錠を施解錠制御している。また、別の構成として、消費電力の大きい照合装置を壁面に取り付けて外部電源によって駆動し、電気錠装置が照合装置から非接触通電装置を介して電源を供給するとともに、通信制御によって電気錠を施解錠制御している。以下、本例の電気錠システムの各実施形態について図面を参照しながら説明する。
【００１２】
（第１実施形態）
図１に示すように、第１実施形態の電気錠システム１（１Ａ）は、照合装置２、電気錠装置３、集中管理装置４を備えて概略構成される。
【００１３】
照合装置２は、例えば各客室の扉に近接する壁面に設けられ、電源変換手段２ａ、照合手段２ｂ、電気錠制御手段２ｃ、無線手段２ｄを備えている。電源変換手段２ａは、例えばＡＣ−ＤＣコンバータで構成され、外部電源（ＡＣ１００Ｖ：商用電源）を照合装置２の駆動電源（所定の直流電源）に変換している。
【００１４】
照合手段２ｂは、例えばカードリーダによって読み込まれるカード情報（例えばチェックイン時に発行されるカードの各種情報）やテンキー等によって入力される入力情報（例えば暗証番号等）を入力とし、これらの情報と登録情報とを照合してその正当性を判別し、そのときの照合結果を電気錠制御手段２ｃに出力している。
【００１５】
電気錠制御手段２ｃは、照合手段２ｂからの照合結果により、カード情報やテンキー等の入力情報を正常に認証したときのみ電気錠装置３の電気錠３ｃを施解錠するための施錠制御信号または解錠制御信号を無線手段２ｄに出力している。
【００１６】
無線手段２ｄは、送受信回路を含む無線モジュールで構成されており、電気錠装置３及び集中管理装置４との間で例えばＺｉｇＢｅｅ（登録商標）等の近距離無線通信によって信号の送受信を行っている。ここでは、電気錠制御手段２ｃから施錠制御信号または解錠制御信号が入力されると、これらの信号を近距離無線通信によって電気錠装置３や集中管理装置４に送信している。また、電気錠装置３から送信される信号（例えばチェックイン・チェックアウトの日時等のログ情報、電気錠の施解錠状態を示す信号、扉の開閉状態を示す信号等）を近距離無線通信によって受信し、さらに受信した信号を集中管理装置４に近距離無線通信によって送信している。
【００１７】
電気錠装置３は、ユニット化されて扉に内蔵されており、電池３ａ、信号処理手段３ｂ、電気錠３ｃを備えている。電池３ａは、装置本体に着脱可能に設けられ、電気錠装置３の各部に駆動電源を供給している。
【００１８】
信号処理手段３ｂは、無線手段３ｂａ、電気錠出力回路３ｂｂを備えている。無線手段３ｂａは、送受信回路を含む無線モジュールで構成されており、照合装置２との間で例えば前述したＺｉｇＢｅｅ（登録商標）等の近距離無線通信によって信号の送受信を行っている。ここでは、照合装置２からの施解錠制御信号を受信して電気錠出力回路３ｂｂに出力している。また、例えばチェックイン・チェックアウトの日時等のログ情報、電気錠３ｃの施解錠状態を示す信号、扉の開閉状態を示す信号等を照合装置２や集中管理装置４に近距離無線通信によって送信している。
【００１９】
電気錠出力回路３ｂｂは、照合装置２から無線手段３ｂａが受信した施解錠制御信号によって電気錠３ｃを解錠（又は施錠）駆動するべく駆動信号を出力している。
【００２０】
電気錠３ｃは、例えばモータやソレノイドなどの駆動装置と錠前で構成され、電気錠出力回路３ｂｂから入力される駆動信号により錠前を施錠または解錠するべく駆動し、扉枠の係止穴に対してデッドボルトを突出（施錠時）又は引き込む（解錠時）ことにより錠前が施解錠される。
【００２１】
集中管理装置４は、パソコン等の端末装置で構成され、例えば事務室や等の遠隔に配設される。集中管理装置４は、外部電源（ＡＣ１００Ｖ：商用電源）が駆動電源として入力しており、無線手段４ａ、照合装置２や電気錠装置３の動作状況を遠隔で監視するための各種条件等を入力するための操作手段４ｂ、照合装置２や電気錠装置３と無線通信を行なってこれらの動作状況を遠隔監視する監視制御手段４ｃ、操作手段４ｂによる各種設定内容や電気錠装置３のログ等を含む各種表示を制御する表示制御手段４ｄを備えている。
【００２２】
尚、無線手段４ａは、照合装置２及び電気錠装置３との間で例えば前述したＺｉｇＢｅｅ（登録商標）等の近距離無線通信によって信号の送受信を行っている。
【００２３】
上記構成による第１実施形態の電気錠システム１Ａでは、消費電力の大きい照合装置２を例えば各客室の扉の近傍の壁面に取り付け、外部電源によって駆動している。また、電気錠装置３を電池３ａによって駆動し、照合装置２からの近距離無線通信によって電気錠３ｃを施解錠制御している。そして、遠隔に設置される集中管理装置４は、外部電源によって駆動され、照合装置２や電気錠装置３との間で近距離無線通信によってリアルタイムで情報通信される。
【００２４】
（第２実施形態）
図２に示すように、第２実施形態の電気錠システム１（１Ｂ）は、第１実施形態と略同等に機能する照合装置１２及び電気錠装置１３に加え、非接触通電装置１５を備えて概略構成される。
【００２５】
照合装置１２は、例えば各客室の扉に近接する壁面に設けられ、電源変換手段１２ａ、照合手段１２ｂ、電気錠制御手段１２ｃ、伝送制御手段１２ｄを備えている。電源変換手段１２ａは、例えばＡＣ−ＤＣコンバータで構成され、外部電源（ＡＣ１００Ｖ：商用電源）を照合装置１２の駆動電源（所定の直流電源）に変換している。
【００２６】
照合手段１２ｂは、例えばカードリーダによって読み込まれるカード情報（例えばチェックイン時に発行されるカードの各種情報）やテンキー等によって入力される入力情報（例えば暗証番号等）を入力とし、これらの情報と登録情報とを照合してその正当性を判別し、そのときの照合結果を電気錠制御手段１２ｃに出力している。
【００２７】
電気錠制御手段１２ｃは、照合手段１２ｂからの照合結果により、カード情報やテンキー等の入力情報を正常に認証したときのみ電気錠装置１３の電気錠１３ｃを施解錠するための施錠制御信号または解錠制御信号を伝送制御手段１２ｄに出力している。
【００２８】
伝送制御手段１２ｄは、電気錠制御手段１２ｃから施錠制御信号または解錠制御信号が入力されると、これらの信号を非接触通電装置１５を介して電気錠装置３に伝送している。
【００２９】
電気錠装置１３は、ユニット化されて扉に内蔵されており、充電池１３ａ、信号処理手段１３ｂ、電気錠１３ｃを備えている。充電池１３ａは、装置本体に着脱可能に設けられ、電気錠装置１３の各部に駆動電源を供給している。この充電池１３ａは、種小郷装置１２から非接触通電装置１５を介して非接触で通電される電源によって充電可能となっている。
【００３０】
信号処理手段１３ｂは、伝送制御手段１３ｂａ、電気錠出力回路１３ｂｂを備えている。伝送制御手段１３ｂａは、非接触通電装置１５を介して照合装置１２から伝送される施錠制御信号や解錠制御信号を受信し、この受信した施錠制御信号や解錠制御信号を電気錠出力回路１３ｂｂに伝送している。
【００３１】
電気錠出力回路１３ｂｂは、照合装置２から非接触通電装置１５を介して伝送制御手段１３ｂａが受信した施錠制御信号や解錠制御信号によって電気錠１３ｃを施錠又は解錠するべく駆動信号を出力している。
【００３２】
電気錠１３ｃは、例えばモータやソレノイドなどの駆動装置と錠前で構成され、電気錠出力回路１３ｂｂから入力される駆動信号により錠前を施錠または解錠するべく駆動し、扉枠の係止穴に対してデッドボルトを突出（施錠時）又は引き込む（解錠時）ことにより錠前が施解錠される。
【００３３】
非接触通電装置１５は、照合装置１２と電気錠装置１３との間を非接触で通電するもので、１次側ユニットと２次側ユニットとを備えている。１次側ユニットは、結合トランスを構成する１次コアと、この１次コアに巻回する１次巻線とを備えて、ドア枠に揺動不能に取り付けられる。２次側ユニットは、扉が閉じた状態において、１次コアとの間に所定の間隙を有して対向配置される２次コアと、この２次コアに巻回した２次巻線とを備えて、扉の開放側に揺動不能に取り付けられる。
【００３４】
この非接触通電装置１５では、結合トランスの１次コア及び２次コアに巻回して構成された信号送受信用の巻線に照合装置１２や電気錠装置１３から変調信号を印加することにより、結合トランスの電磁誘導作用を利用して、互いに対向する信号送受信用の巻線に信号を伝達している。
【００３５】
上記構成による第２実施形態の電気錠システム１Ｂでは、消費電力の大きい照合装置１２を例えば各客室の扉の近傍の壁面に取り付け、外部電源によって駆動している。また、電気錠装置１３には、照合装置１２から非接触通電装置１５を介して駆動電源を供給している。そして、照合装置１２から非接触通電装置１５を介して通信制御により電気錠装置１３の電気錠１３ｃを施解錠制御している。
【００３６】
このように、本例の電気錠システム１（１Ａ，１Ｂ）によれば、従来のような錠前の扉面に化粧部材として取り付けられるエスカチオン（装飾プレート）を無くすことができる。これにより、扉自体のデザインの自由度が広がる。
【００３７】
また、消費電力の大きい照合装置２の駆動電源を外部電源にするので、従来の照合装置と電気錠装置とを一体化した電気錠システムと比較して、電気錠装置３の電池による寿命を延ばすことができる。さらには、電池の必要本数を減らしてランニングコストを低減することができる。
【００３８】
さらに、照合装置２は、送受信回路を含む無線モジュールを内蔵し、電気錠装置３や集中管理装置４との間で相互に近距離無線通信により情報交換を行なえるので、例えば外部の制御端末（パソコン）とリアルタイムで通信を行うことにより、例えば火災時の火報連動やログの収集を行うことも可能になる。
【００３９】
図１に示す電気錠システム１Ａのように、照合装置２と電気錠装置３との間を無線化にすれば、扉の加工費用を抑えることができる。これに対し、図２に示す電気錠システム１Ｂのように、照合装置１２と電気錠装置１３との間に非接触通電装置１５を使用すれば、扉内の配線加工を簡略化することができる。
【図面の簡単な説明】
【００４０】
【図１】本発明に係る電気錠システムの第１実施形態を示すブロック構成図である。
【図２】本発明に係る電気錠システムの第２実施形態を示すブロック構成図である。
【符号の説明】
【００４１】
１（１Ａ，１Ｂ）  電気錠システム
２  照合装置
２ａ  電源変換手段
２ｂ  照合手段
２ｃ  電気錠制御手段
２ｄ  無線手段
３  電気錠装置
３ａ  電池
３ｂ  信号処理手段
３ｂａ  無線手段
３ｂｂ  電気錠出力回路
３ｃ  電気錠
４  集中管理装置
４ａ  無線手段
４ｂ  操作手段
４ｃ  監視制御手段
４ｄ  表示制御手段
１２  照合手段
１２ａ  電源変換手段
１２ｂ  照合手段
１２ｃ  電気錠制御手段
１２ｄ  伝送制御手段
１３  電気錠装置
１３ａ  充電池
１３ｂ  信号処理手段
１３ｂａ  無線手段
１３ｂｂ  電気錠出力回路
１３ｃ  電気錠
１５  非接触通電装置
【図１】
2007154605.tif 000003
【図２】
2007154605.tif 000004